(57)【要約】    【課題】  可動レンズの光軸方向の位置の調整をしたときの結像面の光軸のずれを防止することができるズームレンズ装置を提供する。    【解決手段】  可動レンズ２２，２３と、この可動レンズ２２，２３を保持するレンズ保持部材１３，１４と、このレンズ保持部材１３，１４に駆動力を伝える円筒カム３０と、レンズ保持部材１３，１４を光軸方向へガイドするガイド部材１２ｃとを備えるズームレンズ装置において、軸受４２ａ，４２ｂによってズームカム部枠４１に回転可能に支持されたカム回転軸部材３３と、このカム回転軸部材３３に軸方向へ摺動可能に装着されたカム筒部材３１，３２とで円筒カム３０を構成した。カム筒部材３１はねじ３４ａ，３４ｂによってカム回転軸部材３３に固定され、カム筒部材３２はねじ３４ｃ，３４ｄによってカム回転軸部材３３に固定されている。【選択図】      図２
2005128119.tif 000002
【特許請求の範囲】
【請求項１】
可動レンズと、この可動レンズを前記可動レンズの光軸方向へ移動可能に保持するレンズ保持部材と、このレンズ保持部材に前記光軸方向の移動のための駆動力を伝える円筒カムと、前記レンズ保持部材を光軸方向へガイドするガイド部材とを備えるズームレンズ装置において、
前記円筒カムは、
カム回転軸部材と、
このカム回転軸部材に軸方向又は回転方向へ摺動可能に装着され、前記レンズ保持部材に係合するカム筒部材と、
このカム筒部材を前記カム回転軸部材に固定させるための固定手段と
を有することを特徴とするズームレンズ装置。
【請求項２】
前記カム回転軸部材はピン穴を有し、
前記カム筒部材は軸方向に直交する方向へ延びるとともに、前記ピン穴に相対する長孔を有することを特徴とする請求項１記載のズームレンズ装置。
【請求項３】
前記カム回転軸部材はピン穴を有し、
前記カム筒部材は軸方向へ延びるとともに、前記ピン穴に相対する長孔を有することを特徴とする請求項１記載のズームレンズ装置。
【発明の詳細な説明】
【技術分野】
【０００１】
この発明はズームレンズ装置に関し、特に顕微鏡に使用されるズームレンズ装置に関する。
【背景技術】
【０００２】
図１６は従来のズームレンズ装置の側面図、図１７は図１６のＦ−Ｆ線に沿う断面図、図１８は図１６のＧ−Ｇ線に沿う断面図、図１９は図１６のＨ−Ｈ線に沿う断面図である。
【０００３】
このズームレンズ装置は、枠５１１と、レンズ保持部材５１３，５１４と、可動レンズ５２２，５２３と、ガイド部材５１２ａ，５１２ｂ，５１２ｃと、円筒カム５３０とを備えている。
【０００４】
枠５１１のレンズ受け部５１１ａには固定レンズ５２１が接着剤によって固定されている。また、枠５１１のレンズ受け部５１１ｂには固定レンズ５２４がレンズ室５１７，５１８を介して固定されている。
【０００５】
固定レンズ５２１、可動レンズ５２２、可動レンズ５２３及び固定レンズ５２４は同一光軸上にある。
【０００６】
可動レンズ５２２，５２３は内側レンズ室５１５Ａ，５１６Ａに保持されている。
【０００７】
内側レンズ室５１５Ａ，５１６Ａは外側レンズ室５１５Ｂ，５１６Ｂにねじ結合されている。内側レンズ室５１５Ａ，５１６Ａを回転させることによって内側レンズ室５１５Ａ，５１６Ａが光軸方向へ移動し、結像面が調整される。
【０００８】
外側レンズ室５１５Ｂは調整ねじ５１５ａ，５１５ｂ，５１５ｃによってレンズ保持部材５１３に保持されている（図１８参照）。調整ねじ５１５ａ，５１５ｂ，５１５ｃの締込み量に応じて可動レンズ５２２が径方向へ移動する。
【０００９】
外側レンズ室５１６Ｂは調整ねじ５１６ａ，５１６ｂ，５１６ｃによってレンズ保持部材５１４に保持されている（図１９参照）。調整ねじ５１６ａ，５１６ｂ，５１６ｃの締込み量に応じて可動レンズ５２３が径方向へ移動する。
【００１０】
レンズ保持部材５１３，５１４はガイド部材５１２ａ，５１２ｂ，５１２ｃに光軸方向へ摺動可能に支持されている。ガイド部材５１２ａ，５１２ｂ，５１２ｃの両端はそれぞれ枠５１１にねじｂｓを用いて固定されている。
【００１１】
また、レンズ保持部材５１３には突起部５１３ａが設けられている。突起部５１３ａは円筒カム５３０の周囲に形成されたカム溝５３０ａに係合している。
【００１２】
レンズ保持部材５１４には突起部５１４ａが設けられている。突起部５１４ａは円筒カム５３０の周囲に形成されたカム溝５３０ｂに係合している。
【００１３】
円筒カム５３０の両端はそれぞれ軸受５４２ａ，５４２ｂを介してズームカム部枠５４１に回転可能に支持されている。円筒カム５３０の一方（軸受５４２ｂ側）の端部にはズームノブ５４８に装着されたかさ歯車５４９に噛合するかさ歯車５４７が装着されている。
【００１４】
ズームノブ５４８を回したとき、円筒カム５３０が回転し、レンズ保持部材５１３，５１４がガイド部材５１２ａ，５１２ｂ，５１２ｃに沿って光軸方向へ摺動する。その結果、可動レンズ５２２、５２３が光軸方向へ駆動され、ズーミングが行われる。
【００１５】
上記ズームレンズ装置ではズーミング時に光軸及び結像面がずれないように可動レンズ５２２，５２３の位置が調整される。
【００１６】
光軸の調整では、外側レンズ室５１５Ｂを支持している調整ねじ５１５ａ，５１５ｂ，５１５ｃの締込み量を変えることによって可動レンズ５２２を径方向へ移動させる。また、外側レンズ室５１６Ｂを支持している調整ねじ５１６ａ，５１６ｂ，５１６ｃの締込み量を変えることによって可動レンズ５２３を径方向へ移動させる。
【００１７】
また、結像面の調整では、内側レンズ室５１５Ａを回転させることによって可動レンズ５２２を光軸方向に移動させ、内側レンズ室５１６Ａを回転させることによって可動レンズ５２３を光軸方向に移動させる。
【特許文献１】特開平９−１４５９８１号公報
【発明の開示】
【発明が解決しようとする課題】
【００１８】
しかし、結像面の調整では、上述したように、内側レンズ室５１５Ａ，５１６Ａが回転するため、結像面の光軸がずれるという問題があった。
【００１９】
この発明はこのような事情に鑑みてなされたもので、その課題は可動レンズの光軸方向の位置の調整をしたときの結像面の光軸のずれを防止することができるズームレンズ装置を提供することである。
【課題を解決するための手段】
【００２０】
上記課題を解決するため請求項１記載の発明は、可動レンズと、この可動レンズを前記可動レンズの光軸方向へ移動可能に保持するレンズ保持部材と、このレンズ保持部材に前記光軸方向の移動のための駆動力を伝える円筒カムと、前記レンズ保持部材を光軸方向へガイドするガイド部材とを備えるズームレンズ装置において、前記円筒カムは、カム回転軸部材と、このカム回転軸部材に軸方向又は回転方向へ摺動可能に装着され、前記レンズ保持部材に係合するカム筒部材と、このカム筒部材を前記カム回転軸部材に固定させるための固定手段とを有することを特徴とする。
【００２１】
請求項２に記載の発明は、請求項１記載のズームレンズ装置において、前記カム回転軸部材はピン穴を有し、前記カム筒部材は軸方向に直交する方向へ延びるとともに、前記ピン穴に相対する長孔を有することを特徴とする。
【００２２】
請求項３に記載の発明は、請求項１記載のズームレンズ装置において、前記カム回転軸部材はピン穴を有し、前記カム筒部材は軸方向へ延びるとともに、前記ピン穴に相対する長孔を有することを特徴とする。
【発明の効果】
【００２３】
この発明のズームレンズ装置によれば、可動レンズの光軸方向の位置の調整をしたときの結像面の光軸のずれを防止することができる。
【発明を実施するための最良の形態】
【００２４】
以下、この発明の実施の形態を図面に基づいて説明する。
【００２５】
図１はこの発明の第１実施形態に係るズームレンズ装置の側面図、図２は図１のＡ−Ａ線に沿う断面図、図３は図１のＢ−Ｂ線に沿う断面図、図４は図１のＣ−Ｃ線に沿う断面図である。
【００２６】
このズームレンズ装置は、枠１１と、レンズ保持部材１３，１４と、可動レンズ２２，２３と、ガイド部材１２ａ，１２ｂ，１２ｃと、円筒カム３０とを備えている。
【００２７】
枠１１の一方のレンズ受け部１１ａには固定レンズ２１が接着剤によって固定されている。また、枠１１の他方のレンズ受け部１１ｂには固定レンズ２４がレンズ室１７，１８を介して固定されている。
【００２８】
固定レンズ２１、可動レンズ２２、可動レンズ２３及び固定レンズ２４は同一光軸上にある。
【００２９】
可動レンズ２２，２３は複数のレンズで構成されている。可動レンズ２２，２３はレンズ室１５，１６に保持されている。
【００３０】
レンズ室１５は調整ねじ１５ａ，１５ｂ，１５ｃによってレンズ保持部材１３に保持されている（図３参照）。これらの調整ねじ１５ａ，１５ｂ，１５ｃによって可動レンズ２２の軸が光軸に直交する方向へ移動する。
【００３１】
レンズ室１６は調整ねじ１６ａ，１６ｂ，１６ｃによってレンズ保持部材１４に保持されている（図４参照）。これらの調整ねじ１６ａ，１６ｂ，１６ｃの締込み量に応じて可動レンズ２３が径方向へ移動する。
【００３２】
レンズ保持部材１３，１４はガイド部材１２ａ，１２ｂ，１２ｃに光軸方向へ摺動可能に支持されている。ガイド部材１２ａ，１２ｂ，１２ｃの両端はそれぞれ枠１１にねじｂｓを用いて固定されている。
【００３３】
また、レンズ保持部材１３には突起部１３ａが設けられている。突起部１３ａはカム筒部材３１の周囲に形成されたカム溝３１ａに係合している。
【００３４】
レンズ保持部材１４には突起部１４ａが設けられている。突起部１４ａはカム筒部材３２の周囲に形成されたカム溝３２ａに係合している。
【００３５】
カム筒部材３１とカム筒部材３２とはカム回転軸部材３３に対して軸方向に摺動可能に装着されている。
【００３６】
軸方向へ延びる長孔３１ｍ，３１ｎに挿入され、カム回転軸部材３３に設けられたねじ穴３３ａ，３３ｂにねじ込まれるねじ（固定手段）３４ａ，３４ｂを用いてカム筒部材３１はカム回転軸部材３３に固定されている。
【００３７】
軸方向へ延びる長孔３２ｍ，３２ｎに挿入され、カム回転軸部材３３に設けられたねじ穴３３ｃ，３３ｄにねじ込まれるねじ（固定手段）３４ｃ，３４ｄを用いてカム筒部材３２はカム回転軸部材３３に固定されている。
【００３８】
したがって、ねじ３４ａ，３４ｂを緩めることによってカム筒部材３１を回転させることなく軸方向にだけ移動させることができ、ねじ３４ｃ，３４ｄを緩めることによってカム筒部材３２を回転させることなく軸方向にだけ移動させることができる。
【００３９】
カム筒部材３１、カム筒部材３２、カム回転軸部材３３及びねじ３４で円筒カム３０が構成される。
【００４０】
カム回転軸部材３３の両端は軸受４２ａ，４２ｂを介してズームカム部枠４１に回転可能に支持されている。カム回転軸部材３３の一方（軸受４２ｂ側）の端部にはズームノブ４８に装着されたかさ歯車４９に噛合するかさ歯車４７が装着されている。
【００４１】
ズームノブ４８を回したとき、円筒カム３０が回転し、レンズ保持部材１３，１４がガイド部材１２ａ，１２ｂ，１２ｃに沿って光軸方向へ摺動する。その結果、可動レンズ２２，２３が光軸方向へ駆動され、ズーミングが行われる。
【００４２】
上記ズームレンズ装置ではズーミング時に光軸及び結像面がずれないように可動レンズ２２，２３の位置が次のように調整される。
【００４３】
光軸の調整は次のように行われる。
【００４４】
図５は光軸調整工程を説明するフローチャートである。なお、図５においてＳ１〜Ｓ５は光軸調整の各工程を示す。
【００４５】
まず、ズームノブ４８を操作して低倍に設定する。調整ねじ１６ａ，１６ｂ，１６ｃの締込み量を変えることによって可動レンズ２３（３群レンズ）を径方向へ移動させる(Ｓ１)。
【００４６】
次に、ズームノブ４８を操作して高倍に設定する。調整ねじ１５ａ，１５ｂ，１５ｃの締込み量を変えることによって可動レンズ２２（２群レンズ）を径方向へ移動さる(Ｓ２)。
【００４７】
その後、ズームノブ４８を操作して再び低倍に設定し、結像面の光軸がずれていないか否かを確認し、結像面の光軸がずれているとき（ＮＧ）、再度Ｓ１の工程に戻る(Ｓ３)。
【００４８】
可動レンズ２３の光軸がずれていないとき（ＯＫ）、ズームノブ４８を操作して再び高倍に設定し、結像面の光軸がずれていないか否かを確認し、可動レンズ２２の光軸がずれているとき（ＮＧ）、再度Ｓ２の工程に戻る(Ｓ４)。
【００４９】
結像面の光軸がずれていないとき（ＯＫ）、光軸調整が終了する(Ｓ５)。
【００５０】
また、結像面の調整は次のように行われる。
【００５１】
図６は結像面調整工程を説明するフローチャートである。なお、図６においてＳ１１〜Ｓ１５は結像面調整の各工程を示す。
【００５２】
まず、ズームノブ４８を操作して高倍に設定する。調整ねじ３４ｃ、３４ｄを緩め、カム筒部材３２を手で押してカム回転軸部材３３に沿って摺動させて可動レンズ２３を光軸方向へ移動させる。このとき、可動レンズ２３の光軸回りの回転は発生しない。結像位置を調整し（ピントを合わせ）た後、調整ねじ３４ｃ、３４ｄを再び締め付ける(Ｓ１１)。
【００５３】
次に、ズームノブ４８を操作して低倍に設定する。調整ねじ３４ａ，３４ｂを緩め、カム筒部材３１を手で押してカム回転軸部材３３に沿って摺動させて可動レンズ２２を光軸方向へ移動させる。このとき、可動レンズ２３の光軸回りの回転は発生しない。結像位置を調整し（ピントを合わせ）た後、調整ねじ３４ａ，３４ｂを再び締め付ける(Ｓ１２)。
【００５４】
その後、ズームノブ４８を操作して再び高倍に設定する。ピントがあっているか否かを確認し、ピントが合っていないとき（ＮＧ）、再度Ｓ１１の工程に戻る(Ｓ１３)。
【００５５】
ピントが合っているとき（ＯＫ）、ズームノブ４８を操作して再び低倍に設定し、ピントがあっているか否かを確認し、ピントが合っていないとき（ＮＧ）、再度Ｓ１２の工程に戻る(Ｓ１４)。
【００５６】
ピントが合ったとき（ＯＫ）、結像面の調整が終了する(Ｓ１５)。
【００５７】
この実施形態によれば、可動レンズ２２，２３の光軸方向の位置の調整をしたときの結像面の光軸のずれを防止することができる。
【００５８】
図７はこの発明の第２実施形態に係るズームレンズ装置の側面図、図８は図７のＤ−Ｄ線に沿う断面図であり、第１実施形態と共通する部分に同一符号を付してその説明を省略する。なお、カム筒部材１３２の一部は破断してある。
【００５９】
この実施形態は偏心工具５０（図９参照）を用いてカム筒部材１３１，１３２を軸方向へ動かすことによって可動レンズ２２及び可動レンズ２３を光軸方向へ移動させるようにした点で第１実施形態と相違する。
【００６０】
軸方向へ延びる長孔１３１ｂ，１３１ｃに挿入され、カム回転軸部材１３３に設けられたねじ穴１３３ｃ、１３３ｄにねじ込まれるねじ３４ａ，３４ｂを用いてカム筒部材１３１はカム回転軸部材１３３に固定されている。
【００６１】
軸方向へ延びる長孔１３２ｂ，１３２ｃに挿入され、カム回転軸部材１３３に設けられたねじ穴１３３ｅ，１３３ｆにねじ込まれるねじ３４ｃ，３４ｄを用いてカム筒部材１３２はカム回転軸部材１３３に固定されている。
【００６２】
したがって、ねじ３４ａ，３４ｂを緩めることによってカム筒部材１３１を回転させることなく軸方向にだけ移動させることができ、ねじ３４ｃ，３４ｄを緩めることによってカム筒部材１３２を回転させることなく軸方向にだけ移動させることができる。
【００６３】
カム回転軸部材１３３の両端は軸受４２ａ，４２ｂを介してズームカム部枠４１に回転可能に支持されている。カム回転軸部材１３３の一方（軸受４２ｂ側）の端部にはズームノブ４８に装着されたかさ歯車４９に噛合するかさ歯車４７が装着されている。
【００６４】
カム回転軸部材１３３にはピン穴１３３ａ，１３３ｂが同じ直線上に形成されている。
【００６５】
カム筒部材１３１，１３２には軸方向に直交する方向へ延びるとともに、ピン穴１３３ａ，１３３ｂに相対する長孔１３１ｄ，１３２ｄが形成されている。
【００６６】
また、カム筒部材１３１の外周面には突起部１３ａに係合するカム溝１３１ａが形成され、カム筒部材１３２の外周面には突起部１４ａに係合するカム溝１３２ａが形成されている。
【００６７】
図９は偏心工具の斜視図である。
【００６８】
偏心工具５０は大径部５１の一端に設けられたつまみ５２と、大径部５１の他端に偏心して設けられた小径部５３とで構成されている。
【００６９】
次に、偏心工具５０を用いて可動レンズ２３を光軸方向へ移動させる方法を説明する。なお、可動レンズ２２を光軸方向へ移動させる場合も同様であるのでその説明を省略する。
【００７０】
図１０は偏心工具を用いてカム筒部材を軸方向へ動かす前の状態を示す円筒カムの断面図、図１１は偏心工具を用いてカム筒部材を軸方向へ動かした後の状態を示す円筒カムの断面図である。
【００７１】
まず、ねじ３４ｃ，３４ｄを緩める。
【００７２】
次に、偏心工具５０の小径部５３をピン穴１３３ｂに挿入する（図１０参照）。
【００７３】
その後、偏心工具５０を所定角度だけ回転させる。大径部５１の外周面によって長孔１３２ｄの内周面が付勢され、カム筒部材１３２が軸方向へ動く。
【００７４】
その結果、可動レンズ２３が光軸方向へ移動する。
【００７５】
最後に、ねじ３４ｃ，３４ｄを締め付ける。
【００７６】
この第２実施形態によれば、第１実施形態と同様の効果を奏するとともに、偏心工具５０を用いたため、第１実施形態に比べて調整を行う際の作業性が向上する。
【００７７】
図１２はこの発明の第３実施形態に係るズームレンズ装置の側面図、図１３は図１２のＥ−Ｅ線に沿う断面図であり、第２実施形態と共通する部分に同一符号を付してその説明を省略する。なお、カム筒部材２３２の一部を破断してある。
【００７８】
この実施形態は偏心工具５０（図９参照）を用いてカム筒部材２３１，２３２を軸方向に直交する方向へ動かすことによって可動レンズ２２，２３を光軸方向へ移動させるようにした点で第１実施形態と相違する。
【００７９】
軸方向に直交する方向へ延びる長孔２３１ｂ，２３１ｃに挿入され、カム回転軸部材１３３に設けられたねじ穴２３３ｃ、２３３ｄを介して挿入されるねじ３４ａ，３４ｂを用いてカム回転軸部材１３３に固定されている。
【００８０】
軸方向に直交する方向へ延びる長孔２３２ｂ，２３２ｃに挿入され、カム回転軸部材１３３に設けられたねじ穴２３３ｅ，２３３ｆにねじ込まれるねじ３４ｃ，３４ｄを用いてカム筒部材２３２はカム回転軸部材１３３に固定されている。
【００８１】
したがって、ねじ３４ａ，３４ｂを緩めることによってカム筒部材２３１を軸方向に直交する方向へだけ移動させることができ、ねじ３４ｃ，３４ｄを緩めることによってカム筒部材２３２を軸方向に直交する方向へだけ移動させることができる。
【００８２】
カム筒部材２３１，２３２には軸方向へ延びるとともに、ピン穴１３３ａ，１３３ｂに相対する長孔２３１ｄ，２３２ｄが形成されている。
【００８３】
また、カム筒部材２３１の外周面には突起部１３ａに係合するカム溝２３１ａが形成され、カム筒部材２３２の外周面には突起部１４ａに係合するカム溝２３２ａが形成されている。
【００８４】
次に、偏心工具５０を用いて可動レンズ２３を光軸方向へ移動させる方法を説明する。なお、可動レンズ２２を光軸方向へ移動させる場合も同様であるのでその説明を省略する。
【００８５】
図１４は偏心工具を用いてカム筒部材を軸方向へ動かす前の状態を示す円筒カムの断面図、図１５は偏心工具を用いてカム筒部材を軸方向へ動かした後の状態を示す円筒カムの断面図である。
【００８６】
まず、ねじ３４ｃ，３４ｄを緩める（図１３参照）。
【００８７】
次に、偏心工具５０の小径部５３をピン穴１３３ｂに挿入する（図１４参照）。
【００８８】
その後、偏心工具５０を所定角度だけ回転させる。大径部５１の外周面によって長孔２３２ｄの内周面が付勢され、カム筒部材１３２が軸方向に直交する方向へ動く。
【００８９】
その結果、突起部１４ａがカム溝２３２ａに沿って移動し、可動レンズ２３が光軸方向へ移動する（図８参照）。
【００９０】
最後に、ねじ３４ｃ，３４ｄを締め付ける。
【００９１】
この実施形態によれば、第２実施形態と同様の効果を奏する。
【図面の簡単な説明】
【００９２】
【図１】図１はこの発明の第１実施形態に係るズームレンズ装置の側面図である。
【図２】図２は図１のＡ−Ａ線に沿う断面図である。
【図３】図３は図１のＢ−Ｂ線に沿う断面図である。
【図４】図４は図１のＣ−Ｃ線に沿う断面図である。
【図５】図５は光軸調整工程を説明するフローチャートである。
【図６】図６は結像面調整工程を説明するフローチャートである。
【図７】図７はこの発明の第２実施形態に係るズームレンズ装置の側面図である。
【図８】図８は図７のＤ−Ｄ線に沿う断面図である。
【図９】図９は偏心工具の斜視図である。
【図１０】図１０は偏心工具を用いてカム筒部材を軸方向へ動かす前の状態を示す円筒カムの断面図である。
【図１１】図１１は偏心工具を用いてカム筒部材を軸方向へ動かした後の状態を示す円筒カムの断面図である。
【図１２】図１２はこの発明の第３実施形態に係るズームレンズ装置の側面図である。
【図１３】図１２はこの発明の第３実施形態に係るズームレンズ装置の側面図である。
【図１４】図１４は偏心工具を用いてカム筒部材を軸方向へ動かす前の状態を示す円筒カムの断面図である。
【図１５】図１５は偏心工具を用いてカム筒部材を軸方向へ動かした後の状態を示す円筒カムの断面図である。
【図１６】図１６は従来のズームレンズ装置の側面図である。
【図１７】図１７は図１６のＦ−Ｆ線に沿う断面図である。
【図１８】図１８は図１６のＧ−Ｇ線に沿う断面図である。
【図１９】図１９は図１６のＨ−Ｈ線に沿う断面図である。
【符号の説明】
【００９３】
１２ａ，１２ｂ，１２ｃ  ガイド部材
２２，２３  可動レンズ
３０  円筒カム
３１，３２，１３１，１３２，２３１，２３２  カム筒部材
３３，１３３  カム軸部材
３４ａ，３４ｂ，３４ｃ，３４ｄ  ねじ（固定手段）
１３１ｂ，１３２ｂ，２３１ｂ，２３２ｂ  長孔
１３３ａ，１３３ｂ  ピン穴  
【図１】
2005128119.tif 000003
【図２】
2005128119.tif 000004
【図３】
2005128119.tif 000005
【図４】
2005128119.tif 000006
【図５】
2005128119.tif 000007
【図６】
2005128119.tif 000008
【図７】
2005128119.tif 000009
【図８】
2005128119.tif 000010
【図９】
2005128119.tif 000011
【図１０】
2005128119.tif 000012
【図１１】
2005128119.tif 000013
【図１２】
2005128119.tif 000014
【図１３】
2005128119.tif 000015
【図１４】
2005128119.tif 000016
【図１５】
2005128119.tif 000017
【図１６】
2005128119.tif 000018
【図１７】
2005128119.tif 000019
【図１８】
2005128119.tif 000020
【図１９】
2005128119.tif 000021